(57)【要約】【課題】粉末状洗顔料を、湿気の多い浴室での使用可能な容器(方法)の提供。【解決手段】容器本体１にキャップ状分取容器３を嵌合させた構成のものであって、使用に際しては、浴室外で、容器本体１からキャップ状分取容器３のキャップ収納部３６に一回使用分の粉末洗顔料を移し再嵌合させる。これを浴室内に持ち込み、キャップ収納部３６の粉末を吐出し使用する。浴室内において、湿気にさらされるのはその時一回の使用分だけの粉末であり、容器本体１はキャップ状分取容器３でシールされているので、容器本体１内粉末への湿気による影響はなく、安心して使用できる。【選択図】図２
2010208640.tif 000002
【特許請求の範囲】
【請求項１】
容器本体１の口部にキャップ状分取容器３を嵌合した構成のものであって、使用にあたっては、浴室外で容器本体１中の一回使用分の粉末をキャップ状分取容器３に移した後、これらを再嵌合させて浴室に持ち込み、キャップ状分取容器３中の一回使用分の粉末を吐出して使用するようにした粉末洗顔料用容器（方法）。
【請求項２】
容器本体１の口部に穴あき中栓２をセットし、そこにその中栓の穴をシールするリブ３５を天板３４下面に有するキャップ状分取容器３を嵌合するのであるが、そのキャップ状分取容器３はそのスカート３２部を、天板３４を越えて上方に伸ばして外壁３３を形成することで、キャップ状分取容器３上面にキャップ収納部３６を設け、さらに、このキャップ収納部３６を閉じる蓋３１を設けたものであり、使用にあたっては、浴室外で容器本体１中の粉末一回使用分をキャップ収納部３６に移した後、このキャップ状分取容器３を容器本体１に再セットし、これを浴室に持ち込み、キャップ収納部３６に収納された一回分の粉末を使用するようにした粉末洗顔料用容器(方法)。
【請求項３】
外壁３３の内側に内壁３７を設けると同時に、この内壁３７をシールするためのリブ３８を蓋３１の裏側に設け、さらに必要に応じて、内壁３７の内側又は天板３４上に粉末計量の目安となる目盛り３９を設けた請求項２に記載の粉末洗顔料用容器(方法)。
【請求項４】
容器本体１口部に、穴あき中栓２に替えて、公知の定量栓２１をセットしたものであって、その定量栓２１の吐出向きが、キャップ収納部３６の吐出方向とおおむね逆になるように(９０度〜１８０度)調整された請求項２、請求項３の何れかに記載の粉末洗顔料用容器(方法)。
【請求項５】
容器本体１口部に、中央を凹ませた穴あき中栓２をセットし、これに同じく天板３４中央部を凹ませてそこをキャップ収納部３６とし、かつ、このキャップ収納部３６上部を覆う蓋３１を有するキャップ状分取容器３を嵌合するのであるが、そのキャップ状分取容器天板３４上には凹みに対応した立ち上げ部４１を設け、蓋３１の裏側には、この凹み部をシールするリブ３８を設けた請求項２、請求項４の何れかに記載の粉末洗顔料用容器(方法)。
【請求項６】
容器本体１と、接続キャップ５と、キャップ状分取容器３の３点構成によるものであって、接続キャップ５は容器本体１との嵌合機構を有し、そのスカート５１の外面には、キャップ状分取容器３を上下方向にスライド嵌合可能とする凹み部５２を備えると同時に、天板５３中央には円筒５４を立ち上げおり、またキャップ状分取容器３は、そのスカート３２内面に接続キャップ５の凹み５２に上下方向スライド可能に嵌合できる凸部４４が設けられ、他方、スカート３２を天板３４を越えて上方に伸ばして外壁３３を形成することで、キャップ状分取容器３上面にキャップ収納部３６を設け、さらに、このキャップ収納部３６を閉じる蓋３１を設けたものであり、また、天板３４中央部には、接続キャップ５の円筒５４を覆う円筒４２を立ち上げ、その上部を内側に反転させることでシール部４３を形成し、さらに、その円筒４２の周りには、垂直方向に通った窓４５を数個開設させた粉末洗顔料用容器。
【請求項７】
外壁３３の内側に内壁３７を設けると同時に、この内壁３７に対応するリブ３８を蓋３１の裏側設けた請求項６に記載の粉末洗顔料用容器。
【発明の詳細な説明】
【技術分野】
【０００１】
本発明は、粉末の洗顔料用容器に関するものである。
【背景技術】
【０００２】
主に、女性の洗顔に使用される洗顔料には、粉末状のものや液体状のもの等がある。使い勝手は液体の洗顔料が勝るが、粉末洗顔料にはそのデメリットを十分カバーしうる効力があるため、いろいろなメーカーから各種の粉末状洗顔料が市場に提供されている。現在、これに使用される容器は図２２に示したような、一般的な３点タイプのヒンジキャップ容器が多い。洗顔料は湿気を嫌う粉末なので、洗面所等での使用が原則となる。しかし、湿気で粉末が固化する危険をかえりみず浴室で使用している人も多いようである。
【０００３】
インターネットの口コミ等を見ていると、「浴室で使用していて、容器内の粉末が固まってしまい、残りが使えなくなった」とか、「浴室で使用していたら、キャップの裏や口部に粉末が付着して汚れる」、「粉末を使用したいが、浴室で使用できないので液体の洗顔料を使用している」、「容器を浴室のすぐ外に置き、使用の時だけ浴室内に入れて使用している」、「粉末なので、浴室での使用はだめなので不便だけど洗面所で使用している」等の書き込みが見られる。これらにより粉末洗顔料を浴室で使用できる手段が強く求められていることが推察される。
【先行技術文献】
【特許文献】
【０００４】
【特許文献１】実公昭３６−０２３８９１
【特許文献２】実開昭６３−０４９３６８
【特許文献３】実開昭６３−０６２３５８
【特許文献４】特開２００６−８２３６
【０００５】
特許文献１は、容器本体の上に、収納部を有する蓋付きキャップを取り付けたものであり、関連のある化粧品等の携帯に便利である。また、特許文献２は、キャップ中央部を凹ませ、その凹みに本体内容物に対する添加液を収納するようにしたものである。そして、特許文献３は、キャップ上部を凹ませ、そこに容器内容物の説明書を入れるようにしたものである。
【０００６】
さらに、特許文献４は、スプリング開閉機構を用いて、容器下方から吐出するようにした定量吐出容器である。現在一般に使用されている３点ヒンジキャップ容器（図２２）では、蓋を開けると、ある一定角度で開いた状態を保持する。これはこれで便利ではあるが、浴室のような湿気のある所では、用が終われば自動ですぐ閉じてほしい。この点、本特許の容器は、容器上部を押すと、容器下方から一定量の粉体が吐出し、押す動作をやめると同時に開口口が閉鎖する。
【０００７】
また、開口口が容器下方にあるので、上から落下してくる水滴等が、開口部から容器内に入る恐れもない。これらの点で、粉体容器として非常に優れた機構を有している。当出願者もこれに似た機構の容器も検討したのであるが、吐出口が下方で、吐出状態が見づらいことと、さらには、いくら開口時間が短時間であろうと、湿気の多い浴室内で開口すれば確実に湿気が容器本体内部に侵入してしまう。ある程度なら問題ないかもしれないが、長期間浴室で使用するのは不安である。
【発明の概要】
【発明が解決しようとする課題】
【０００８】
先行技術は、キャップ収納部に本体容器の内容物に関連するものとか、添加液とか、説明書とかを収納する用途のものであり、さらには短時間ではあるが本体開口部を直接開く容器である。これに対し、当発明が解決しようとする課題は、粉末洗顔料を安心して浴室で使用できる容器(方法)の提供である。
【課題を解決するための手段】
【０００９】
請求項１の手段は、容器本体１の口部にキャップ状分取容器３を嵌合した構成のものであって、使用にあたっては、浴室外で容器本体１中の一回使用分の粉末をキャップ状分取容器３に移した後、これらを再嵌合させて浴室に持ち込み、キャップ状分取容器３中の一回使用分の粉末を吐出して使用するようにした粉末洗顔料用容器（方法）。
【００１０】
請求項２の手段は、容器本体１の口部に穴あき中栓２をセットし、そこにその中栓の穴をシールするリブ３５を天板３４下面に有するキャップ状分取容器３を嵌合するのであるが、そのキャップ状分取容器３はそのスカート３２部を、天板３４を越えて上方に伸ばして外壁３３を形成することで、キャップ状分取容器３上面にキャップ収納部３６を設け、さらに、このキャップ収納部３６を閉じる蓋３１を設けたものであり、使用にあたっては、浴室外で容器本体１中の粉末一回使用分をキャップ収納部３６に移し、このキャップ状分取容器３を容器本体１に再セットし、これを浴室に持ち込み、キャップ収納部３６に収納された一回分の粉末を使用するようにした粉末洗顔料用容器(方法)。
【００１１】
請求項３の手段は、外壁３３の内側に内壁３７を設けると同時に、この内壁３７をシールするためのリブ３８を蓋３１の裏側に設け、さらに必要に応じて、内壁３７の内側又は天板３４上に粉末計量の目安となる目盛り３９を設けた請求項２に記載の粉末洗顔料用容器(方法)。
【００１２】
請求項４の手段は、容器本体１口部に、穴あき中栓２に替えて、公知の定量栓２１をセットしたものであって、その定量栓２１の吐出向きが、キャップ収納部３６の吐出方向とおおむね逆になるように(９０度〜１８０度)調整された請求項２、請求項３の何れかに記載の粉末洗顔料用容器(方法)。
【００１３】
請求項５の手段は、容器本体１口部に、中央を凹ませた穴あき中栓２をセットし、これに同じく天板３４中央部を凹ませてそこをキャップ収納部３６とし、かつ、このキャップ収納部３６上部を覆う蓋３１を有するキャップ状分取容器３を嵌合するのであるが、そのキャップ状分取容器天板３４上には凹みに対応した立ち上げ部４１を設け、蓋３１の裏側には、この凹み部をシールするリブ３８を設けた請求項２、請求項４の何れかに記載の粉末洗顔料用容器(方法)。
【００１４】
請求項６の手段は、容器本体１と、接続キャップ５と、キャップ状分取容器３の３点構成によるものであって、接続キャップ５は容器本体１との嵌合機構を有し、そのスカート５１の外面にはキャップ状分取容器３を上下方向にスライド嵌合可能とする凹み部５２を備えると同時に、天板５３中央には円筒５４を立ち上げおり、またキャップ状分取容器３は、そのスカート３２内面に接続キャップ５の凹み５２に上下方向スライド可能に嵌合できる凸部４４が設けられ、他方、スカート３２を天板３４を越えて上方に伸ばして外壁３３を形成することで、キャップ状分取容器３上面にキャップ収納部３６を設け、さらに、このキャップ収納部３６を閉じる蓋３１を設けたものであり、また、天板３４中央部には接続キャップ５の円筒５４を覆う円筒４２を立ち上げ、その上部を内側に反転させることでシール部４３を形成し、さらに、その円筒４２の周りには垂直方向に通った窓４５を数個開設させた粉末洗顔料用容器。
【００１５】
請求項７の手段は、外壁３３の内側に内壁３７を設けると同時に、この内壁３７に対応するリブ３８を蓋３１の裏側設けた請求項６に記載の粉末洗顔料用容器。
【発明の効果】
【００１６】
粉末洗顔料使用の際は、あらかじめ浴室外で一回使用分を容器本体１からキャップ収納部３６に移し、これを浴室内に持ち込んで使用する。このため次のような効果がある。
【００１７】
湿気の多い浴室において、キャップ収納部３６に収納された一回分の粉末を、蓋３１を開けて使用する。このとき、容器本体１内の粉末はキャップ状分取容器３により完全シールされているので、浴室の湿気や、液滴が本体容器１内に侵入して、粉末を固化するようなことはない。
【００１８】
一回分の入ったキャップ収納部３６は、使用時において浴室内の湿気にさらされるが、その程度では固化の問題はなく使用でき、湿気で粉末がキャップ収納部３６や蓋３１の裏側等に若干付着したとしても、水等での洗浄は可能である。（この場合は、次の使用までに蓋３１を開けて、キャップ収納部３６を乾燥させる必要がある。）
【００１９】
一回分を別の小容器に別個に入れて使用するのに比べて、キャップ収納部３６が容器本体１と常にセットされているので扱いに便利であり、またこのキャップ状分取容器３が小さいからといって紛失するようなことはなく、収納部３６内のものが何であるかは、セットされている容器本体１の表示により明確である。
【００２０】
浴室でなく、洗面所等の湿気の少ない所で使用する場合は、キャップ収納部３６を使用せず、直接本体の穴あき中栓２部から吐出して使用する。さらに、本容器は構造がシンプルな分、リーズナブルな価格での提供が可能である。
【００２１】
また、請求項５、６の容器を使用すれば、一回使用分の容器本体１からキャップ収納部３６への移し変えを、外気に触れることなく行えるので、浴室内での操作が可能となり、さらにキャップ状分取容器３のスライド量の加減により、一回分の分量の調整が可能となる。従来の容器（図２２）で直接吐出した場合、吐出量の調整が難しく、予定より多く出てしまうことによるムダがあったが、これが解消される。さらに、キャップ収納部３６に粉末が付着して汚れれば、前例同様、容器本体１はシールされているので、キャップ収納部３６を水で洗うことは可能である。
【００２２】
以上の効果が期待できることにより、従来、湿気による粉末の固化を恐れて使用困難であった浴室内でも安心して粉末洗顔料の使用ができる。また、固化の恐れをかえりみず浴室内で使用した結果、固化して容器内粉末をすべてダメにしていた人も、そのようなリスクから開放される。
【図面の簡単な説明】
【００２３】
【図１】実施例１の組断面図と構成品別の半断面図である。（実施例１）
【図２】図１の要部拡大断面図である。（実施例１）
【図３】浴室外で、本体容器からキャップ収納部に一回使用分の粉体を移している図である。（実施例１）
【図４】浴室内で、キャップ収納部の粉体を吐出している図である。（実施例１）
【図５】実施例２の平面図と組断面図である。（実施例２）
【図６】図５の要部拡大断面図である。（実施例２）
【図７】目盛りを段差のある棒目盛りにした例である。（実施例２）
【図８】浴室外で、本体容器からキャップ収納部に一回使用分の粉体を移している図である。（実施例２）
【図９】浴室内で、キャップ収納部の粉体を吐出している図である。（実施例２）
【図１０】実施例３の要部拡大断面図である。（実施例３）
【図１１】浴室外で、本体容器からキャップ収納部に一回使用分の粉体を移している図である。（実施例３）
【図１２】浴室内で、キャップ収納部の粉体を吐出している図である。（実施例３）
【図１３】実施例４の要部拡大断面図である。（実施例４）
【図１４】実施例５の組断面図と構成品別の半断面図である。（実施例５）
【図１５】図１４の要部拡大断面図とそのＡＡ断面図である。（実施例５）
【図１６】操作手順を示す図である。（実施例５）
【図１７】キャップ収納部に計量した洗顔料を吐出している図である。（実施例５）
【図１８】実施例６の組断面図と構成品別の半断面図である。（実施例６）
【図１９】図１８の要部拡大断面図とそのＢＢ断面図である。（実施例６）
【図２０】操作手順を示す図である。（実施例６）
【図２１】キャップ収納部に計量した洗顔料を吐出している図である。（実施例６）
【図２２】現在、粉末洗顔料用容器に広く使用されている容器である。（従来品）
【発明を実施するための形態】
【００２４】
次に、具体的実施例を図面にもとづき説明する。
【実施例１】
【００２５】
図１〜図４は、実施例１に関するものである。図１は組断面図、並びに構成品別の半断面図、図２は要部拡大断面図、図３は粉末洗顔料を使用するにあたり、あらかじめ浴室外にて容器本体１内粉末の一回使用分をキャップ収納部３６に移している図である。また図４は、浴室内で、キャップ収納部３６の粉体を手のひら等に吐出している図である。
【００２６】
本実施例は、容器本体１と、穴あき中栓２と、キャップ状分取容器３の３点で構成されている。穴あき中栓２は一般的なものであり、容器本体１内の粉末を吐出する際の吐出量コントロールの役目を有している。そしてキャップ状分取容器３は、容器本体１口部との嵌合機構を有するとともに、天板３４下面には穴あき中栓２の穴をシールするリブ３５を有するとともに、スカート３２を天板３４を越えて上方に伸ばすことで外壁３３とし、その上に蓋３１を設けている。これによりキャップ状分取容器３上部にキャップ収納部３６を形成する。
【００２７】
この容器の使用にあたっては、あらかじめ浴室外で容器本体１内の１回使用分の粉末をキャップ収納部３６に移し（図３）、再度キャップ状分取容器３と容器本体1をセットする。これを浴室内に持ち込み、キャップ収納部３６の粉末を取り出して使用する（図４）。
【００２８】
この容器を使用することによって、あらかじめキャップ収納部３６に一回分を計量する手間はかかるものの、浴室内では、その時使用するキャップ収納部３６の粉体が湿気にさらされるだけで、容器本体１内の粉末はキャップ状分取容器３で完全シールされているので湿気による影響はない。
【００２９】
また、湿気によりキャップ収納部３６や蓋３１の裏側等に粉末が付着して汚れても、軽く水等で洗うこともできるので、常に清潔さを保つことができる。さらに、一回分を小さな別容器に移して使用するのと違い、常に容器本体１とセットになっているので扱いに便利でると同時に、内容物が何であるかも本体表示をみれば明らかである。  
【００３０】
湿気の多い浴室等で使用するのでなければ、キャップ収納部３６を使用せず、直接容器本体１から吐出して使用すればよい。従来、粉末タイプは湿気が大敵であり、浴室で使用すること自体タブーとされてきたが、この容器を使用すれば、湿気の多い浴室でも安心して使用できる。
【実施例２】
【００３１】
図５〜図９は、実施例２に関するものである。図５は平面図と組断面図、図６はその要部拡大断面図、図７はキャップ収納部３６内の目盛りを段差を有する棒目盛り３９に変えた例、図８は浴室外で容器本体１内の一回分粉末をキャップ収納部３６に移している図、図９は浴室でキャップ収納部３６の粉体を吐出している図である。キャップ状分取容器３上部の蓋３１のヒンジ３０は、使い勝手から、３点ヒンジタイプにしているが、その構造上どうしても中央バネ板部４０と蓋３１との間に隙間が生じ、キャップ収納部３６のシール低下をもたらす。
【００３２】
この対策として本実施例では、外壁３３の内側に内壁３７を設け、蓋３１にはこの内壁３７に対応するリブ３８を設けることで、キャップ収納部３６のシール性を確保した。さらに粉末計量の目安として、キャップ状分取容器内壁３７内側に幅１ミリ、高さ０．２ミリ程度の目盛り３９線を数本設けている。図７には別の目盛り、即ち段差を有する棒目盛り３９の例を示した。
【実施例３】
【００３３】
図１０〜図１２は、実施例３に関するものである。図１０は要部拡大断面図、図１１は浴室外で容器本体１からキャップ収納部３６に粉体を移している図で、図１２は浴室内でキャップ収納部３６の粉体を吐出している図である。これは容器本体１口部に穴あき中栓２の代わりに、公知の定量栓２１を採用したものである。
【００３４】
定量栓２１を用いることにより、一振りで一回使用分がほぼ正確に吐出するので便利である。ただ本容器の場合、キャップ状分取容器３をした状態でキャップ収納部３６の粉末を吐出させる時(図１２)、定量栓２１の吐出向きがキャップ状分取容器３と同じな場合、定量栓吐出口２２がキャップ状分取容器３で塞がれているので、本来吐出されるべき粉末が吐出されずに計量部に残り、次回の計量動作で、計量部にさらに次の粉末が流れ込むことによる計量不良が発生する。
【００３５】
これを防ぐため、キャップ収納部３６の吐出方向と定量栓２１の吐出向きとを９０度以上違える必要がある。本容器においては、ほぼ逆方向にセットするようにしている。この場合、定量栓吐出（図１１）とキャップ収納部吐出（図１２）が交互に行われる通常の使用においては、キャップ収納部吐出（図１２）時に定量栓に計量された粉末が計量部から本体内に戻ってしまうため、容器本体１からの定量栓吐出時（図１１）に２度の傾け操作が必要となる。１回目が計量で２回目が吐出である。（通常使用の定量栓は、前回の吐出操作で計量部に次回の吐出量が計量されているので、１回の傾け操作で定量吐出する。）
【実施例４】
【００３６】
図１３は、実施例４の要部拡大断面図である。キャップ状分取容器天板３４中央を凹ませることで、ここにキャップ収納部３６を設けたものである。前３実施例に比べてキャップ状分取容器３の高さをコンパクトにできる。容器本体１からの吐出量を調節するための穴あき中栓２もそれに対応して中央部を凹ませている。
【実施例５】
【００３７】
図１４〜図１７は、実施例５に関するものである。図１４は組断面図、並びに構成品別の半断面図、図１５は図１４の要部拡大断面図とそのＡＡ断面図、図１６は粉末洗顔料を使用するにあたり、操作手順を示している図であり、図１７はキャップ収納部３６内の粉末を吐出している図である。当実施例は図１４で示されるように、キャップ状分取容器３と接続キャップ５、並びに容器本体１の３部品で構成されている。キャップ状分取容器３は、スカート３２部を天板３４を越えて上に伸ばすことで外壁３３を形成し、その上部に３点ヒンジを有する蓋３１を設けることで、天板３４と外壁３３と蓋３１によって囲まれたキャップ収納部３６を成している。また天板３４中央から円筒４２を立ち上げ、蓋３１に接触するところで内側に反転してシール部４３としている。また、円筒４２周囲にはその垂直方向に伸びた窓４５を３箇所、等間隔に開設している。そして、スカート３２の下端内側に凸部４４を設けた。
【００３８】
一方、接続キャップ５は、容器本体１口部との嵌合機構を持たせると同時に、スカート５１の外面に凹み部５２を設けることで、ここにキャップ状分取容器３のスカート３２に設けた凸部４４を嵌合させることで、キャップ状分取容器３を上下にスライドできるようにしている。また、天板５３中央にはキャップ状分取容器３の円筒４２に内接する円筒５４を立ち上げている。
【００３９】
当容器の使用に当っては、図１６に示すように、まずキャップ状分取容器３を上方にスライドさせる。こうすることでキャップ状分取容器３の円筒４２に設けた窓４５が接続キャップ５の円筒５４による遮蔽から解かれ開口する（Ａ）。この状態で容器を逆さにすると容器内粉末が接続キャップ５の円筒５４を通って、キャップ状分取容器３の円筒４２に設けた窓４５からキャップ収納部３６に移動する。このときの移動量は、キャップ状分取容器３のスライドの程度によってある程度調整可能である。（Ｂ）
【００４０】
次に容器を正立させ（Ｃ）、その後キャップ状分取容器３を下方いっぱいにスライドダウンさせると、接続キャップ５の円筒５４はキャップ状分取容器３のシール部４３でシールされる（Ｄ）。この後、図１７で示したように、蓋３１を開けてキャップ収納部３６の粉末を吐出して使用する。浴室内で使用したとしても浴室内の湿気にさらされるのはキャップ収納部３６の一回使用分だけであり、容器本体１中の粉末は、開口部である接続キャップ５の円筒５４先端は、キャップ状分取容器３のシール部４３によってシールされているので安全である。また、使用時にキャップ収納部３６内面が、湿気よる粉末付着で汚れても、軽く水等による洗浄も可能である。
【００４１】
また、１から４の実施例では、使用にあたってあらかじめ、浴室外で一回使用分をキャップ収納部３６に移し変える操作が必要であったが、本実施例では、容器本体１からキャップ収納部３６への移し変え操作を、外気に触れない容器内で行うことができるので、湿気の高い浴室内での操作も可能である。さらに、従来の容器（図２２）の場合、吐出量のコントロールが難しく、しばしば必要量より多く吐出してムダになることがあったが、本例の場合、計量調整が可能なため、従来のようなムダは解消される。
【実施例６】
【００４２】
図１８〜図２１は、実施例６に関するものである。図１８は組断面図、並びに構成品別の半断面図、図１９は図１８の要部拡大断面図とそのＢＢ断面図、図２０は粉末洗顔料を使用するにあたり、操作手順を示している図であり、図２１はキャップ収納部３６内の粉末を吐出している図である。この例は、先の実施例１に対する実施例２と同様に、実施例５の変形例であって、キャップ状分取容器３のヒンジ部のシール性を改善するためキャップ状分取容器３の外壁３３の内側に内壁３７と、それに対応するリブ３８を設けたものである。また、シール部４３の形状を変えていることと、接続キャップ５の容器本体１への嵌合機構も変化させている。即ち、実施例５が凹凸によるパッチン嵌合であるのに対し、実施例６は通常のネジ嵌合にしている。ネジ嵌合にすれば詰め替え可能となる。
【符号の説明】
【００４３】
１  容器本体
２  穴あき中栓
２１  定量栓
２２  定量栓吐出口
３  キャップ状分取容器
３０  ３点タイプヒンジ
３１  蓋
３２  スカート
３３  外壁
３４  天板
３５  リブ
３６  キャップ収納部
３７  内壁
３８  リブ
３９  目盛り
４０  中央バネ板
４１  立ち上げ
４２  円筒
４３  シール部
４４  凸部
４５  窓
５  接続キャップ
５１  スカート
５２  凹み部
５３  天板
５４  円筒
【図１】
2010208640.tif 000003
【図２】
2010208640.tif 000004
【図３】
2010208640.tif 000005
【図４】
2010208640.tif 000006
【図５】
2010208640.tif 000007
【図６】
2010208640.tif 000008
【図７】
2010208640.tif 000009
【図８】
2010208640.tif 000010
【図９】
2010208640.tif 000011
【図１０】
2010208640.tif 000012
【図１１】
2010208640.tif 000013
【図１２】
2010208640.tif 000014
【図１３】
2010208640.tif 000015
【図１４】
2010208640.tif 000016
【図１５】
2010208640.tif 000017
【図１６】
2010208640.tif 000018
【図１７】
2010208640.tif 000019
【図１８】
2010208640.tif 000020
【図１９】
2010208640.tif 000021
【図２０】
2010208640.tif 000022
【図２１】
2010208640.tif 000023
【図２２】
2010208640.tif 000024